(57)【特許請求の範囲】
【請求項１】
制御部、この制御部を作動させている間は連続または断続した同一のリモートコントロール信号を送信するように構成された送信機と；
照明負荷の作動状態を送信機のリモートコントロール信号を使用して制御する照明器具本体と；
照明器具本体に設けられるとともに、送信機から送信されたリモートコントロール信号を受信する受信部と；
照明器具本体に設けられるとともに、受信部でリモートコントロール信号を受信すると受信したことを外部へ知らせるためにブザーを鳴らし、かつ、照明負荷を連続調光するための信号である連続または断続した同一のリモートコントロール信号を受信している間はこのブザーを連続して発するのではなく、単発の音で発せられるように制御するブザー制御手段と；
前記照明負荷を連続調光するための信号である連続または断続した同一のリモートコントロール信号を受信部で受信している期間は照明負荷を連続的に調光する照明制御回路と；
を具備したことを特徴とする照明器具。
【請求項２】
制御部、この制御部を作動させている間は連続または断続したリモートコントロール信号を送信するように構成された送信機と；
照明負荷の作動状態を送信機のリモートコントロール信号を使用して制御する照明器具本体 と；
照明器具本体に設けられるとともに、送信機から送信されたリモートコントロール信号を受信する受信部と；
照明器具本体に設けられるとともに、受信部で リモートコントロール信号を受信すると受信したことを外部へ知らせるためにブザーを鳴らし、かつ、照明負荷を連続調光するための信号である連続または断続した同一のリモートコントロール信号を受信している間はこのブザーを制御部の作動に対して一回のみ発せられるように制御するブザー制御手段と；
前記照明負荷を連続調光するための信号である連続または断続した同一のリモートコントロール信号を受信部で受信している期間は照明負荷を連続的に調光する照明制御回路と；
を具備したことを特徴とする照明器具。
【発明の詳細な説明】
【０００１】
【発明の属する技術分野】
本発明は、リモートコントロール操作により制御される照明器具に関する。
【従来の技術】
従来、照明器具の全光、調光および消灯などの制御を送信機であるリモートコントロール装置のリモートコントロール操作によって制御する方法が知られている。
【０００２】
この従来技術は、リモートコントロール装置の制御部である全光、調光または消灯などを指定するスイッチを使用者が一回押圧することによって、単発のリモートコントロール信号がリモートコントロール装置から送信され、照明器具本体に設けられた受信部がリモートコントロール信号を受信し、受信部でリモートコントロール信号を受信するとブザーを鳴らすことによって使用者が指定した制御モードが照明器具の受信部に入力されたことを外部に知らせ、かつ、使用者の指定した制御モードで照明器具が制御されるというものである。
【発明が解決しようとする課題】
しかしながらこの従来技術は、送信機のスイッチを押圧すると単発のリモートコントロール信号が送信されるようになっているので、一回押圧しても照明器具からブザーが発せられない場合（外来ノイズなどにより照明器具が使用者の指定した制御モードで制御されない場合）は、複数回押圧動作を行わなくてはならず、非常に作業者の作業が繁雑であった。
【０００３】
本発明は、上記に鑑みなされたものであり、送信機によるリモートコントロール信号での照明器具の制御を行いやすくすることができる照明器具を提供することを目的とする。
【課題を解決するための手段】
請求項１記載の照明器具は、制御部、この制御部を作動させている間は連続または断続した同一のリモートコントロール信号を送信するように構成された送信機と；照明負荷の作動状態を送信機のリモートコントロール信号を使用して制御する照明器具本体と；照明器具本体に設けられるとともに、送信機から送信されたリモートコントロール信号を受信する受信部と；照明器具本体に設けられるとともに、受信部でリモートコントロール信号を受信すると受信したことを外部へ知らせるためにブザーを鳴らし、かつ、照明負荷を連続調光するための信号である連続または断続した同一のリモートコントロール信号を受信している間はこのブザーを連続して発するのではなく、単発の音で発せられるように制御するブザー制御手段と；前記照明負荷を連続調光するための信号である連続または断続した同一のリモートコントロール信号を受信部で受信している期間は照明負荷を連続的に調光する照明制御回路と；を具備したことを特徴とする。
【０００４】
制御部は、照明器具を制御するように設けられれば、押圧式であるスイッチ以外であってもよい。
【０００５】
受信部は、照明器具本体内または照明器具本体外に設けられていてもよい。要するに送信機からのリモートコントロール信号が受信でき、その受信された信号によって照明器具が制御されるように照明器具本体に設けられていればよい。
【０００６】
請求項１の照明装置は、制御部を作動させている間は連続または断続した同一リモートコントロール信号を送信するように構成された送信機と、受信部でリモートコントロール信号を受信すると受信したことを外部へ知らせるためにブザーを鳴らし、かつ、このブザーを連続して発するのではなく、単発の音で発せられるように制御するブザー制御手段とを具備したことにより、照明器具の制御を行う場合には、送信機の制御部を作動させつづければよいことに加えて、受信部で連続してリモートコントロール信号が受信される度に連続したブザーを発することがないので、送信機による照明器具の制御を行ないやすくすることができる。
【０００７】
請求項２の照明器具は、制御部、この制御部を作動させている間は連続または断続したリモートコントロール信号を送信するように構成された送信機と；照明負荷の作動状態を送信機のリモートコントロール信号を使用して制御する照明器具本体 と；照明器具本体に設けられるとともに、送信機から送信されたリモートコントロール信号を受信する受信部と；照明器具本体に設けられるとともに、受信部で リモートコントロール信号を受信すると受信したことを外部へ知らせるためにブザーを鳴らし、かつ、照明負荷を連続調光するための信号である連続または断続した同一のリモートコントロール信号を受信している間はこのブザーを制御部の作動に対して一回のみ発せられるように制御するブザー制御手段と；前記照明負荷を連続調光するための信号である連続または断続した同一のリモートコントロール信号を受信部で受信している期間は照明負荷を連続的に調光する照明制御回路と；を具備したことを特徴とする。
【０００８】
請求項２の照明器具は、制御部を作動させている間は連続したリモートコントロール信号を送信するように構成された送信機と、照明器具本体に設けられるとともに、受信部でリモートコントロール信号を受信すると受信したことを外部へ知らせるためにブザーを鳴らし、かつ、このブザーを制御部の作動に対して一回のみ発せられるように制御するブザー制御手段とを具備したことにより、照明器具の制御を行う場合には、送信機の制御部を作動させつづければよいことに加えて、受信部で連続してリモートコントロール信号が受信される度に連続したブザーを発することがないので、送信機による照明器具の制御を行ないやすくすることができる。
【発明の実施の形態】
本発明の一実施形態について図面を参照して説明する。
【０００９】
図１は本実施形態の照明器具の照明制御回路を示す回路図、図２は本実施形態の照明器具を示す説明図、図３は本実施形態の送信機であるリモートコントロール装置を示す説明図である。
【００１０】
本実施形態の照明器具１は、天井４に直付けされた照明器具本体５０と送信機であるリモートコントロール装置３０とから構成されている。
【００１１】
本実施形態の制御回路は、照明器具本体５０に設けられ、商用電源１０に放電灯点灯装置１２を介して照明負荷として蛍光ランプなどからなる放電灯１４が接続されている。また、商用電源１０に対しては、豆電球からなる常夜灯１６が点灯制御回路１７を介して直接接続されている。
【００１２】
また、商用電源１０には、整流回路１８を接続し、この整流回路１８の整流化脈流電圧出力を利用して、放電灯１４および常夜灯１６からなる照明負荷の作動状態を制御する制御信号を得るための照明制御回路２０が構成されている。
【００１３】
この照明制御回路２０は、整流回路１８の整流化脈流電圧出力を調整するための電圧調整器２２と、図３に示した送信機であるリモートコントロール装置３０の制御部である送信スイッチ３１を押圧することにより送信される赤外線のリモートコントロール信号を受信するための受信部であるリモートコントロール信号受光部２４と、照明負荷の制御をマニュアル操作によって直接行うことができる壁スイッチなどのマニュアルスイッチ２５と、リモートコントロール信号受光部２４によって受光された照明制御信号およびマニュアルスイッチ２５による操作信号をそれぞれ入力して、照明負荷に対する制御信号を出力するように構成したマイコン２６とを備えた基本構成からなる。
【００１４】
そこで、本実施形態における照明制御回路２０において、マイコン２６には、照明負荷の制御を行う制御出力端子として、放電灯１４の点灯または消灯を行うＯＮ／ＯＦＦ制御端子Ｔ１、全光または調光を行う全光・調光制御端子Ｔ２、常夜灯１６の点灯を行う常夜灯制御端子Ｔ３、ブザー発生部２７を動作させるためのブザー制御手段であるブザー出力端子Ｔ４がそれぞれ設けられている。これに対し、リモートコントロール信号受光部２４によって受光された照明制御信号を入力するリモートコントロール信号入力端子Ｔremo、マニュアルスイッチ２５による操作信号を入力するマニュアル信号入力端子Ｔmanuが設けられている。
【００１５】
なお、マイコン２６には、照明制御に関する出力モードの書き込みを行うためにＥＥＰＲＯＭ２８と接続する入力端子Ｔinおよび出力端子Ｔoutと、電源を監視するための電源監視端子Ｔmoniと、リセットＩＣ２９によりリセットを行うためのリセット入力端子Ｔresetと、クロック発振子３０によりクロック入力を行うためのクロック入力端子Ｔclockと、バイアス電圧端子Ｖccと、接地端子Ｇndとがそれぞれ設けられている。
【００１６】
また、マイコン２６に設けられた照明負荷の制御を行う制御出力端子Ｔ１〜Ｔ３において、放電灯１４の点灯または消灯を行うＯＮ／ＯＦＦ制御端子Ｔ１および全光または調光を行う全光／調光制御端子Ｔ２は、それぞれ放電灯点灯装置１２に接続され、放電灯１４の照明制御を行うように構成され、常夜灯１６の点灯を行う常夜灯制御端子Ｔ３は、光リレーＲyなどを介して常夜灯１６の点灯制御回路１７に接続され、適宜常夜灯１６の点灯制御を行うように構成される。そして、ブザー発生部２７を動作させるためのブザー出力端子Ｔ４は、リモートコントロール信号入力端子Ｔremoに照明制御信号が入力されると、ブザーを発生させるように構成されている。
【００１７】
次に、上記構成からなる照明制御回路の照明制御動作につき、図４に示すマイコン２６の制御機能を示す機能説明図を参照しながら説明する。
【００１８】
まず、リモートコントロール信号受光部２４により受光された照明制御信号がマイコン２６のリモートコントロール信号入力端子Ｔremoに入力されると、この入力された照明制御信号についてのコード判定が行なわれ、その判定結果により照明制御についてのモード決定がなされ、照明負荷の制御を行なう制御出力端子Ｔ１〜Ｔ３により照明制御信号が出力され、放電灯１４の点灯または消灯、もしくは、全光または調光を行なうかあるいは常夜灯１６の点灯が行われる。
【００１９】
そこで、例えばリモートコントロール信号で放電灯１４を消灯状態に設定した場合に、電源の遮断が生じると、この状態を電源監視端子Ｔmoniを介して監視しながらクロック信号に基づいて停電時間の判定を行なう。そして、この停電時間外の停電時間を超えた後に電源が復帰した際には、常夜灯１６を点灯させる出力モードに設定したり、停電前の状態に復帰するように設定する。
【００２０】
なお、前述した制御動作は、マニュアルスイッチ２５による操作信号がマニュアル信号入力端子Ｔmanuを介して入力される場合にも、同様の制御動作を行なうように構成することができる。また、このようなモード設定の書込みないし書き換えについては、入力端子Ｔinおよび出力端子Ｔoutと接続されるＥＥＰＲＯＭ２８を介して行なうことができる。
【００２１】
また、リモートコントロール信号受光器２４により受光された照明制御信号がマイコン２６のリモートコントロール信号入力端子Ｔremoに入力されるとブザー出力端子Ｔ４からブザー出力信号が出力され、ブザー発生部２７からブザーを発生する。
【００２２】
このリモートコントロール信号とブザーとの関係を図５を用いて説明する。
【００２３】
まず、リモートコントロール送信機３０の送信スイッチ３１を図５の（１）に示したようにＡの時点から押しつづけることによって、リモートコントロール送信機３０の送信部３２から図５の（２）に示したような同一であり、かつ、断続したリモートコントロール信号が送信される。
【００２４】
このリモートコントロール信号がリモートコントロール信号受光部２４に受信されると、図５の（３）に示したように、マイコン２６のリモートコントロール信号入力端子Ｔremoにも同様に断続した照明制御信号が入力される。しかしながら、ブザー出力端子Ｔ４から出力されるブザー出力信号は、図５の（４）に示したように所定間隔Ｘで出力されるので、ブザー発生部２７から発生されるブザーは、連続して発するのではなく、単発の音となる。なお、このブザー出力信号は、リモートコントロール信号受光部２４で受信した信号が図５の（２）である場合には、最初にリモートコントロール信号入力端子Ｔremoで照明制御信号を受信したときのみブザー出力端子Ｔ４からブザー出力信号を出力されるように構成してもよい。
【００２５】
本実施形態によれば、リモートコントロール装置３０の送信スイッチ３１を押している間は断続した同一リモートコントロール信号を送信するように構成されたことにより、一度送信スイッチ３１を押してもリモートコントロール信号受信部２４でリモートコントロール信号が受信されなかった場合に、送信スイッチ３１を何度も押すようなことはなく、リモートコントロール装置３０の送信部３２を照明器具本体５０向けて送信スイッチ３１を押しつづけていればよいので、照明器具本体５０の照明制御を容易に、かつ、確実に行なうことができる。
【００２６】
また、本実施形態のリモートコントロール装置３０を採用するに際し、同一であり、かつ、断続した照明制御信号がリモートコントロール信号入力端子Ｔremoに入力されたときに所定の時間間隔でブザーを鳴らすように構成したので、本実施形態のリモートコントロール装置３０を採用するに際しては、好適な機能を有し、本実施形態のリモートコントロール装置３０での照明器具本体５０の取扱いをより好適なものとすることができる。
【００２７】
また、本実施形態は、リモートコントロール装置３０によって連続調光が可能であるように設定された照明器具であるとさらに取扱いを好適とすることができる。
【００２８】
なお、このブザー出力信号の設定をリモートコントロール信号受光部２４で受信した信号が連続であり、かつ、同一である場合に、最初にリモートコントロール信号入力端子入力端子Ｔremoで照明制御信号を受信したときのみブザー出力端子Ｔ４からブザー出力信号を出力されるように構成した場合も上記と同様の作用効果を得る。
【発明の効果】
請求項１の発明によれば、制御部を作動させている間は連続または断続した同一のリモートコントロール信号を送信するように構成された送信機と、受信部でリモートコントロール信号を受信すると受信したことを外部へ知らせるためにブザーを鳴らし、かつ、連続または断続した同一のリモートコントロール信号を受信している間はこのブザーを所定の時間間隔で発せられるように制御するブザー制御手段とを具備したことにより、照明器具の制御を行う場合には、送信機の制御部を作動させつづければよいことに加えて、受信部で連続してリモートコントロール信号が受信される度に連続したブザーを発することがないので、送信機による照明器具の制御を行ないやすくすることができる。
【００２９】
請求項２の発明によれば、制御部を作動させている間は連続または断続した同一のリモートコントロール信号を送信するように構成された送信機と、照明器具本体に設けられるとともに、受信部でリモートコントロール信号を受信すると受信したことを外部へ知らせるためにブザーを鳴らし、かつ、連続または断続した同一のリモートコントロール信号を受信している間はこのブザーを制御部の作動に対して一回のみ発せられるように制御するブザー制御手段とを具備したことにより、照明器具の制御を行う場合には、送信機の制御部を作動させつづければよいことに加えて、受信部で連続してリモートコントロール信号が受信される度に連続したブザーを発することがないので、送信機による照明器具の制御を行ないやすくすることができる。
【図面の簡単な説明】
【図１】本実施形態の照明器具の照明制御回路を示す回路図
【図２】同じくの照明器具を示す説明図
【図３】同じくリモートコントロール装置を示す説明図
【図４】同じく照明器具の照明制御回路の制御機能を示す制御機能説明図
【図５】同じくリモートコントロール信号とブザーとの制御をせめす説明図
【符号の説明】
１…照明器具
２４…受信部であるリモートコントロール受信部
２７…ブザー発生部
３０…送信機であるリモートコントロール装置
５０…照明器具本体
【図１】
0004843807.tif 000002
【図２】
0004843807.tif 000003
【図３】
0004843807.tif 000004
【図４】
0004843807.tif 000005
【図５】
0004843807.tif 000006